(57)【要約】【課題】コンクリート構造物の表面等従来植物を植えつける事が不可能な空間に自然通水性のある陶土を植木鉢に利用してその植木鉢を複数枠の中に収めコンクリート構造物の表面に取付け自由にして植物を植えつけられる様にした装置を提供する。【解決手段】自然漏水性の高い陶土で植木鉢を作り枠の中にその植木鉢を複数配列してブロック状態にして、そのブロック状態にしたパネルを相手方の構造物の状況に応じて複数取付け植木鉢の中に土、苗、種子等の植物を植えつける。【選択図】      図４
2005006620.tif 000002
【特許請求の範囲】
【請求項１】
志野焼陶土で作られた植木鉢あるいはその他の植木鉢又は同目的を持った容器を枠あるいはパネルあるいは平面版の中に複数埋め込んでその植木鉢の中に草花等を植え付け壁等にボルトあるいは接着等で張り付ける様にした枠付植木鉢。
【請求項２】
上記枠付植木鉢の植木鉢の中にマイクロチップを貼り付け土の乾燥状態を感知しその事によりソーラーパネル乾電池を使い開示弁を開き雨水を貯めたタンクから水を植木鉢の中に通水管を通し給水出来るようにした自動給水装置付で壁等への取り付けを可能にした複数植木鉢を埋め込んだ自然管理型の枠付植木鉢。
【発明の詳細な説明】
【０００１】
【産業上の利用分野】本発明は無味乾燥の多くの高速高架道路の壁面あるいはビル等コンクリート建造物の外壁面に緑を供給し二酸化炭素あるいはその他の有害物質を排除しさらにビルディング等建築物の外断熱に関するものである。
【０００２】
【従来の技術】本来コンクリート建造物と植木鉢は別々のものでコンクリート構造物として花壇等一体打設したものはある、又プレキャストコンクリート等の現場組み立て方式が多く後で草木等を植える方式はよく見かけるが大規模方式のものが多い。
【０００３】
【発明が解決しようとする課題】高度成長時代よりコンクリート文化は高速道路整備、ビル建築等々とめざましい進化を遂げた、コンクリートむき出しの建造物が氾濫しており同時に環境破壊も比例して進化してきた、特にＣＯ２を排出するジーゼルエンジン搭載のトラックの走行する高速自動車道路はいたるところにある。  この高速高架道路の両側にある高欄壁あるいはトンネルの鏡面に植物を植えあるいは街中にある無味乾燥したビル群の風景に緑をつける事により環境にやさしく森のように美しい緑が一面に広がる高度な機能を内含した先端都市の外面を緑や様々な花で覆いより美しい社会が出来あがる。
【０００４】
この発明は高速道路の両側に展開する植木、蔦等の構造物への巻きつき等にみられる自然造園的グリーンベルトレデーメーションにない部分、草木の根に土のない部分例えば高速道路の高架橋の両側にある高欄壁又はトンネル入り口の鏡面あるいはビル等の外壁面に共通する通常コンクリートむき出しの部分に植物を植えつけ環境の改善をしようと考えられた装置である。
【０００５】
土木構造物に於いて高架高速道路の高架橋部分等はほとんどがコンクリート打ち放しの高欄壁で出来ていてそれが連続しているこの発明はこの無味乾燥の部分に植木鉢を配しそこに植物を植えつけることが出来る装置である。
【０００６】
建築構造物に於いては外装に関してタイル、吹き付け、ガラス、等々が主流であり、その外壁に蔦等を這わせているものも一部ある、しかしながら建物全体を生きた植物で覆ってしまう方法は少ない本発明はこれを可能にした。又従来の建築工法は内断熱中心に施工されていた、だが内断熱材の素材によるカビ等の大量発生によるシックハウス症候群等による人体への健康侵害又火災時の有毒ガスの大量発生による一酸化炭素中毒による死亡等々問題が多い、既存のビルを外断熱にするには膨大な費用がかかる、本発明は志野土製植木鉢付枠を在来の外壁にボルトで固定するだけでよく、一度の工事で半永久的に緑を得る事ができ最も自然的な外断熱を確保することが出来る。
【問題を解決するための手段】
【０００７】
このシステムの特徴は既存の構造物に芝や草や花を植えつける装置です、一定の正方形あるいは自由自在な形状ブロックの中に複数の植木鉢を配列しその植木鉢のなかに腐葉土、種子、苗花等の植物を入れる。この一つのブロックを構造物に合わせて複数配列していく結果構造物全体が植木鉢となり、やがて種子が芽を出しその構造物は緑や黄色や赤や紫に被われていく。
【０００８】
本発明の特徴は志野土で作られた植木鉢にある  美濃焼きのなかで志野焼きは他の焼き物と違って大きな特徴を持っている須恵器時代の後出現した志野焼は一時期食器として大いに普及しただがその欠点である透水性により本来の器の機能は発揮されず漏水しない磁器物へと用途変化していく本発明はこの志野焼きの欠点を利用したものである。
【０００９】
植木鉢として利用するには中に入れる土が生きていなければならないこの呼吸している焼き物がなければ本発明は成立しない自然に降る雨水は土を通過してやさしく植木鉢の外へ逃げていく雨水の還流速度は速からず遅からず自然になされていく植木鉢そのものが志野土を焼いたものであるため中の腐葉土との自然性交換機能はこの上ない、この植木鉢を磁器製の植木鉢にすると水の還流がなくなり鉢の中の土は腐ってしまう又市販の植木鉢のように底に穴を開けて排水していく様にすると水は土質又は乾燥度、石等の異物の影響で穴がふさがってしまう等の欠点がでてくる。
【００１０】
【発明の実施の形態】
本発明は上記志野土を適用していくことを特徴としているが志野土はその粒子が粗くいくら叩いて細かくしても酸化焼きから本焼きの還元焼きで焼くとその製品は漏水性が高い、志野焼きで出来た花瓶等はその内側に目止の薬品を流し込む等の工夫をほどこして製品にする、本発明はこの志野土の性質を利用したもので植木鉢全体から水が漏水するので一つの穴がふさがる様なことがないまた金属等で鉢を作りその表面に意識的にあけた穴では自然に出来た志野焼きの漏水性に勝るものは出来ない。
【００１１】
植木鉢として志野土を焼いた焼き物は風化しにくく永い期間その機能を失う事はない、従って高架橋、その他建造物の長期間維持を目的とする建造物のコンクリート保護には自然緑化による直射熱遮断効果も含めて効率よく機能する。
【００１２】
植木鉢に植えつける植物は乾燥系に強い植物を選ぶと良いまた土は乾燥しにくい土を選びあるいはバイオ研究の進んだ最良の条件にあった選択をすると良い。
【００１３】
前記植木鉢を枠の中に複数はめ込み連続して目的物に取り付けていくこの場合植木鉢の形状は円形でも角型でも三角形でもよくその選択は自由である又枠の形状は取り付ける目的物により異なり正方形でもよし円形でもよしその制限はない又構造物への取付け方法もその目的物により異なり自由である。
【００１４】
比較的雨水の少ない地域における給水対策として第２発明
【図５】の装置を提案する以下図をもって説明するこの装置は８の枠の中に６の自然透水性にすぐれた志野焼の植木鉢を複数配し  その植木鉢の内面に１０のマイクロチップを貼り付ける６の植木鉢の中に入れてある１２の土の乾燥状態を１０のマイクロチップセンサーがキャッチしコンピューターへ５の光ファィバーを通して情報を送る  コンピューターの指示に従い１１の開示弁が開き４の貯水槽に貯めてある雨水が必要に応じて７の通水管を通り６の植木鉢に給水される  この装置の電源は上部に設置された１のソーラ乾電池に依存されている。又雨水の貯蔵装置は上部に設けられた３のロストルを通して２の受け皿で集水し２２の通水管を通し４の貯水槽に入り貯水する装置。
【００１５】
本発明は上記の如く構成したものであるから、水分のないあらゆる建造物のコンクリート表面に設置出来るように設計されており特に水の有効利用、太陽熱の有効利用と自然を大いに利用した自然流通植木鉢装置である。
【００１６】
【発明の効果】
本発明によれば、次の効果を得ることが出来る。
（１）都市の緑化の一環として土のない部分、特にコンクリートむき出し部分に志野土，志野焼の植木鉢を連続して多数配することにより、そこに植えつける様々な植物により、緑あふれる環境を作り出しさらに二酸化炭素の削減等に役立つ。
（２）建築建造物の外壁に取り付けることにより外断熱効果が発生し、室内の結露作用によるカビ等の大量発生による人体への悪影響を防止することが出来る。
（３）高速高架道路の橋上部分の高欄あるいはトンネル入り口の鏡面等はコンクリートむき出し状態がほとんどだがここに前記の枠に入れた植木鉢を複数ボルト等で取付けそこに植物を植えることによりより自然的な環境美観を得ることが出来さらにＣＯ２の削減に貢献できる。
（４）この植木鉢付ブロック枠をコンクリート建造物の表面に設置することで旧来の残存するコンクリートの劣化防止に役立つ、理由はコンクリート表面に設置した本発明品が残存するコンクリート表面を覆い熱断熱、風化防止、酸性雨の遮断等々の効果を発揮してコンクリート保護に役立つ。同時にコンクリート劣化による部分崩壊。鉄筋の酸化影響による断片劣化に伴う断片落下の二次災害も防げる。
【図面の簡単な説明】
【図１】本発明を上方からみた矢視図である。
【図２】図１の部分拡大図である。
【図３】図１の平面図である。
【図４】図１の断面詳細図である。
【図５】本発明第二発明の断面図である。
【図６】図５の植木鉢拡大図である。
【図７】図５の開示弁、水管及び指示系列を示す。
【図８】図１を連続して取り付けた建て込み状況図。
【図９】植木鉢の水平使用ブロックの断面図である。
【図１０】図９の平面図である。
【符号の説明】
１・・太陽熱乾電池、２・・集水ジョウロ、３・・集水ロストル。４・・貯水槽、５・・光ファイバー、６・・志野焼製植木鉢、７・・通水管、８・・取付け用枠、９・・志野焼ピンホール、１０・・マイクロチップセンサー、１１・・開栓弁、１２・・腐葉土、１３・・表面プレート、１４・・通水用土、１５・・取付け用ボルト、１６・・ボルト螺子部、１７・・締付用ナット、１８・・アンカーボルト、１９・・連続する枠付植木鉢、２０・・コンピューター、２１・・相手方構造体への取付け用ボルト穴、２２・・貯水槽内防塵付通水菅、２３・・排水用溝、２４・・水平取付け用植木鉢受け皿。
【図１】
2005006620.tif 000003
【図２】
2005006620.tif 000004
【図３】
2005006620.tif 000005
【図４】
2005006620.tif 000006
【図５】
2005006620.tif 000007
【図６】
2005006620.tif 000008
【図７】
2005006620.tif 000009
【図８】
2005006620.tif 000010
【図９】
2005006620.tif 000011
【図１０】
2005006620.tif 000012